(57)【要約】薬剤供給装置の連結端とコネクタの橋渡しをするアダプタは、一方の端がコアに嵌合し、他方の端が内部シュラウドに嵌合するハウジングシュラウドを含む。ハウジングシュラウドに嵌合すると、コア及び内部シュラウドのそれぞれはハウジングシュラウドから取り外しできない。キャッチハブをハウジングシュラウド内に設けて、ハウジングシュラウドに対してコアを回転不能に維持する。コアはハウジングシュラウドに対して回転可能である。コアとハウジングシュラウドの間に十分な摩擦を与えて、薬剤供給装置をコアに容易に連結可能にする。薬剤供給装置がコア、したがってアダプタに連結した後には、薬剤供給装置の、いずれの方向へのさらなる回転も、ハウジングシュラウドに対する自由な回転を生ずるのみであり、したがってシリンジ等の薬剤供給装置のアダプタからの取り外しが防止される。内部シュラウドは、コネクタが一方向に回転した場合にコネクタとの結合を容易にすることのできるキャッチ機構を有する。コネクタが内部シュラウドに完全に結合した後には、結合方向に沿ったさらなる回転移動により、内部シュラウドがハウジングシュラウドに対して自由に回転するように、キャッチ機構を構成する。さらに、コネクタを逆回転方向に回した場合に、コネクタが外れるようにキャッチ機構を構成する。内部シュラウドの連結部は、相補的コネクタを受容するよう構成される。同様に、コアの接続部は、薬剤供給装置の相補的コネクタを受容するよう構成されており、適当な薬剤搬送路が薬剤供給装置とコネクタ、したがって患者との間に構成されることを確実にする。【特許請求の範囲】
【請求項１】
薬剤供給装置及び患者に薬剤を供給するためのコネクタと共に使用するためのアダプタにおいて、
シュラウドと、
前記コネクタの接続端を受容する開口を有し、前記シュラウドに嵌合する内部シュラウドであって、前記コネクタは前記内部シュラウドに結合した後は、一方向に自由に回転可能であり且つ逆方向に回転すると前記内部シュラウドから取り外し可能である内部シュラウドと、
前記薬剤供給装置を前記アダプタに接続することを可能とする近位端を有し、前記シュラウドに嵌合して前記薬剤供給装置から前記コネクタへ薬剤を導くことを可能とするコアであって、前記薬剤供給装置は、それに接続した後には前記アダプタから取り外し不能となるコアとを備えることを特徴とするアダプタ。
【請求項２】
前記コアは、前記シュラウドに嵌合して前記薬剤供給装置が前記近位端に回転可能に結合した後は、前記シュラウドに対して自由に回転可能となり、前記薬剤供給装置は前記近位端に結合した後は前記コアから取り外し不能である、請求項１に記載のアダプタ。
【請求項３】
前記コアは、遠位端と、前記近位端と、前記近位端及び遠位端を接続する円筒状中央部と、前記遠位端及び前記中央部を連結する部位に環状に設けられたショルダと、前記中央部及び前記近位端を連結する部位に環状に設けられたフランジとを備え、
前記シュラウドは、前記コアの前記中央部が回転可能に固定されている内部環状キャッチを備え、前記ショルダ及び前記フランジは、前記コアが前記シュラウドに嵌合され前記中央部が前記キャッチにより固定された後には、前記コアが前記シュラウドから取り外されることを防止し、前記コア及び前記シュラウドが互いに対して自由に回転可能である、請求項１に記載のアダプタ。
【請求項４】
前記内部シュラウドの開口がその遠位端にあり、突起がその遠位端近傍に環状に形成されており、前記突起は前記シュラウドの内壁にある環状溝と結合して前記内部シュラウド及び前記シュラウドを互いに対して回転可能とする、請求項１に記載のアダプタ。
【請求項５】
前記シュラウドは、その内壁から前記シュラウドの中心長手軸線に向かって延在する複数の隆起を備え、前記コネクタが係止方向に回転して前記アダプタに接続された後に、前記内部シュラウドが前方付勢力により前記長手軸線に沿って前記シュラウド内に押し込まれると、前記隆起は前記内部シュラウドの前記複数の歯に対抗して作動して、前記シュラウドに対する前記内部シュラウドのさらなる回転移動を防止し、前記前方付勢力が前記コネクタから取り除かれた後は、前記コネクタを前記係止方向に回転すると、前記コネクタが前記シュラウドに対して自由に回転可能である、請求項４に記載のアダプタ。
【請求項６】
前記環状キャッチは、複数の隣接するフィンガであってそれらのそれぞれのキャッチが前記内部シュラウドに対向しているフィンガにより形成されたアパーチャを有するハブを備え、前記フィンガは、前記コアが前記シュラウドに嵌合すると前記コアの前記ショルダが前記アパーチャを通過することを可能にするが、前記ショルダが前記アパーチャを逆方向に通過することを防止する、請求項３に記載のアダプタ。
【請求項７】
前記内部シュラウドの前記延在歯のそれぞれは、前記内部シュラウドが前記前方付勢力で押された際に、前記内部シュラウドが前記係止方向にさらに回転するのを防止する直立エッジを有するよう構成されている請求項５に記載のアダプタ。
【請求項８】
前記コネクタが２個の相補対向部を備え、前記相補部の近位端が前記内部シュラウドに接続するための前記接続端を有する、請求項１に記載のアダプタ。
【請求項９】
一方及び他方の開口端を有するシュラウドと、
前記シュラウドの前記一方の端へ取り外し不能に嵌合している内部シュラウドであって、前記内部シュラウドは、前記内部シュラウドを所定の薬剤運搬コネクタと接続可能とする接続端を有し、前記内部シュラウドは前記所定のコネクタがそれに結合した後には一方向に自由に回転可能であり、前記所定のコネクタは逆方向に回転すると前記内部シュラウドから取り外し可能である内部シュラウドと、
前記シュラウドの他方の端に取り外し不能に固定されたコアであって、前記コアが薬剤供給装置のルアーコネクタに結合することを可能にする貫通路及びコネクタ端を有し、前記薬剤供給装置が前記コネクタに結合した後には前記コアの端は前記コアから取り外し不能であるコアとの組み合わせ。
【請求項１０】
前記薬剤供給装置が前記コアに嵌合した後には、前記薬剤供給装置がどちらの方向に回されるかに関係なく、前記コアが自由に回転可能である、請求項９に記載の組み合わせ。
【請求項１１】
前記コアは、環状ショルダと環状フランジとの間に挟まれた円筒状中央部を備え、前記シュラウドは、前記コアの前記中央部が回転可能に固定されている内部環状キャッチを備え、前記ショルダ及び前記フランジは、前記コアが前記シュラウドに嵌合し、前記中央部が前記キャッチにより固定された後には、前記コアが前記シュラウドから取り外されることを防止し、前記コア及び前記シュラウドが互いに対して自由に回転可能である、請求項９に記載の組み合わせ。
【請求項１２】
前記内部シュラウドは、その遠位端近傍に環状に形成された突起を備え、前記突起は前記シュラウドの内壁にある環状溝と結合して前記内部シュラウド及び前記シュラウドが互いに対して回転することを可能とし、前記内部シュラウドは、複数の延在歯を有する近位端をさらに備え、前記内部シュラウドは前記薬剤運搬装置を受容するよう構成されている、請求項９に記載の組み合わせ。
【請求項１３】
前記シュラウドは、内壁から前記シュラウドの中心長手軸線に向かって延在する複数の隆起を備え、前記薬剤搬送装置の前記コネクタが係止方向に回転してそれに嵌合した後に、前記内部シュラウドが前方付勢力により長手軸線に沿って前記ショルダ内に押し込まれると、前記隆起は前記内部シュラウドの前記複数の歯に対抗して作動して、前記シュラウドに対する前記内部シュラウドのさらなる回転移動を防止し、前記前方付勢力が前記内部シュラウドから取り除かれた後には、前記内部シュラウドは、前記薬剤運搬装置の前記所定のコネクタが係止方向に回転する際に、前記シュラウドに対して自由に回転可能である、請求項１２に記載の組み合わせ。
【請求項１４】
前記環状キャッチは、複数の隣接するフィンガであってそれらのそれぞれのキャッチが前記内部シュラウドに対向しているフィンガにより形成されたアパーチャを有するハブを備え、前記フィンガは、前記コアが前記シュラウドに嵌合すると前記コアの前記ショルダが前記アパーチャを通過することを可能にするが、前記ショルダが前記アパーチャを逆方向に通過することを防止する、請求項１１に記載の組み合わせ。
【請求項１５】
前記内部シュラウドの前記延在歯のそれぞれが、前記内部シュラウドが前記前方付勢力で押された際に、前記内部シュラウドが前記係止方向にさらに回転するのを防止する直立エッジを有するよう構成されている、請求項１３に記載の組み合わせ。
【請求項１６】
所定の薬剤供給装置から薬剤を投与する方法であって、
ａ）所定の薬剤運搬コネクタを提供するステップと、
ｂ）一方及び他方の開口端を備えるシュラウドを有するアダプタを提供するステップと、
ｃ）内部シュラウドを前記シュラウドの一方の端に取り外し不能に嵌合するステップであって、前記内部シュラウドは、前記内部シュラウドを所定の薬剤運搬コネクタに結合可能にするコネクタ端を有するステップと、
ｄ）前記シュラウドの他方の端に取り外し不能にコアを嵌合するステップであって、前記コアは、前記コアを前記薬剤供給装置のコネクタに結合可能にする貫通路及びコネクタ端を有し、前記薬剤供給装置が前記コネクタに結合した後には前記コアの端は前記コアから取り外し不能であるステップを含む方法。
【請求項１７】
前記ステップｃは、
前記所定の薬剤運搬コネクタが前記内部シュラウドに結合した後には前記内部シュラウドが一方向に自由に回転可能であり、前記コネクタが前記一方向に回転されるように前記内部シュラウドを構成するステップをさらに含む、請求項１６に記載の方法。
【請求項１８】
前記薬剤運搬装置を逆方向に回転させることによって前記所定の薬剤運搬コネクタを前記内部シュラウドから取り外すステップをさらに含む、請求項１７に記載の方法。
【請求項１９】
前記薬剤供給装置が前記コアに結合した後には、前記薬剤供給装置がどちらの方向に回されるかに関係なく、自由に回転可能であるように前記コアを構成するステップをさらに含む、請求項１６に記載の方法。
【請求項２０】
前記コアに対して、環状ショルダと環状フランジとの間に挟まれた円筒状中央部を構成するステップと、
前記シュラウドに内部環状キャッチを構成するステップと、
前記コアの前記中央部を前記シュラウドに回転可能に固定して、前記ショルダ及び前記フランジが、前記コアが前記シュラウドに結合し、前記中央部が前記キャッチにより固定された後には、前記コアが前記シュラウドから取り外されることを防止し、前記コア及び前記シュラウドが互いに対して自由に回転可能であるステップをさらに含む、請求項１６に記載の方法。
【請求項２１】
前記内部シュラウドの遠位端近傍に環状に突起を形成するステップと、
前記突起を前記シュラウドの内壁にある環状溝と結合して、前記内部シュラウド及び前記シュラウドを互いに対して回転可能とするステップと、
前記内部シュラウドの近位端に複数の延在歯を形成するステップと、
前記内部シュラウドを、前記薬剤運搬装置の前記所定のコネクタを受容するよう構成するステップをさらに含む、請求項１６に記載の方法。
【請求項２２】
前記シュラウドの内壁から前記シュラウドの中心長手軸線に向かって複数の突起を延在させるステップであって、前記前記薬剤運搬装置の前記所定のコネクタが係止方向に回転して前記アダプタに結合した後に、前記内部シュラウドが前方付勢力により前記長手軸線に沿って前記シュラウド内に押し込まれると、前記隆起は前記内部シュラウドの前記複数の歯に対抗して作動して、前記シュラウドに対する前記内部シュラウドのさらなる回転移動を防止し、前記前方付勢力が前記内部シュラウドから取り除かれた後は、前記薬剤搬送装置が前記係止方向に回転する際に、前記内側シュラウドは前記シュラウドに対して自由に回転可能であるステップをさらに含む、請求項２１に記載の方法。
【請求項２３】
前記環状キャッチがハブを備え、前記方法が、
前記ハブに、複数の隣接するフィンガであって、フィンガのそれぞれのキャッチ面が前記内部シュラウドに対向しているフィンガによりアパーチャを形成するステップと、
前記コアが前記シュラウドに嵌合すると前記コアの前記ショルダが前記アパーチャを通過することを可能にするが、前記ショルダが前記アパーチャを逆方向に通過することを防止するよう前記フィンガを構成するステップをさらに含む、請求項２０に記載の方法。
【発明の詳細な説明】
【技術分野】
【０００１】
この発明は、流体路用コネクタ、より詳細には薬剤供給装置を、患者に薬剤を供給するコネクタに連結するためのアダプタに関する。
【背景技術】
【０００２】
特定の薬剤を収容する装置への液体ラインの誤接続を防止するため、従来技術では、コネクタを２つの部分で構成し、これら部分を相補的に構成された対合面により接続することが行われている。かかる二部分コネクタは、コネクタの一方の部分からの一方のラインが誤って異なる薬剤ラインに接続されないようにしている。かかる相補的接続部からなる締結機構は、特許文献１及びその親出願である特許文献２に開示されている。特許文献１は、特にコネクタの一方の部分がシリンジから外れ、このシリンジに他方の部分が接続されることを防止又は阻害するラチェット機構を、コネクトの部品として開示している。実際には、ラチェット機構は、外部スリーブの内面にある歯と、外部スリーブに嵌合する内部体の爪との相互作用に依存するものであるから、シリンジを強制的に締め付けると、内部体が外部スリーブから外れ出てしまう。さらに、特許文献１に記載されているように、ラチェット機構は、外部スリーブ及び内部体の相対回転を完全には切り離さないコネクタの一部である。
【０００３】
【特許文献１】米国特許第６，６１２，６２４号明細書
【特許文献２】米国特許第６，４０２，２０７号明細書
【発明の開示】
【０００４】
この発明のアダプタは、薬剤供給装置とコネクタの間に置くよう適合されたものである。このアダプタは、装置がアダプタの一方の端に固定されると、薬剤供給装置がこれから取り外されるのを防止するよう構成されている。アダプタの他方の端は、コネクタを受容するよう構成される。コネクタは一方向に自由に回転可能にアダプタに接続される。完全に接続されると、同一方向に沿ったさらなる回転移動により、コネクタがアダプタに対して自由に回転する。逆方向への回転移動により、コネクタはアダプタから取り外される。
【０００５】
この発明のアダプタは、内周ハブキャッチを有する外部円筒スリーブ又はハウジングシュラウドを含む。さらに、複数の隆起がハウジングシュラウドの内壁からシュラウドの中心軸線に向かって延びる。このハウジングシュラウドには、シュラウドの遠位端に形成された円周溝にスナップ結合する遠位端に隣接して円周に形成された突起を有する円筒状内部シュラウドが嵌合する。内部シュラウド及びハウジングシュラウドは、互いに対して回転可能である。
【０００６】
複数の歯が、内部シュラウドの近位端から延びる。所定の力で付勢されると、内部シュラウドのこれらの歯は、ハウジングシュラウドの内壁から延びる隆起に対抗して作動し、ハウジングシュラウドに対する内部シュラウドの回転を防止する。延在歯は、歯が隆起に対抗して作動することを防止する傾斜面を有しているので、付勢力が取り除かれると、２つのシュラウドが互いに対して自由に回転可能となる。内部シュラウドは、コネクタの、特殊加工された接続端を受容するために内側にねじ切りされていてもよい。
【０００７】
この発明のアダプタの第３の部品は、他方の端からハウジングシュラウドに嵌合するコアである。コアは、面取りしたフランジ及び環状のフランジにより画定された円筒状中央部を有する。この円筒状中央部は、面取りされたフランジを通過させるが、逆側が平らとなっている面取りフランジが逆方向に通過することを防止するよう構成された多数のフィンガを有する、ハウジングシュラウドのハブキャッチに結合する。しがたって、コアの中央部がハブキャッチと結合すると、コアは、ハウジングシュラウドに回転不能に嵌合するが、これに対して自由に回転可能になる。コアの円筒状中央部及びハブキャッチのフィンガにより形成される開口のそれぞれの大きさは、コアがハウジングシュラウドに対して自由に回転できるように構成される。ハウジングシュラウドに嵌合するコアにより、薬剤供給装置をコアの近位端に結合することができる。
【０００８】
薬剤供給装置のコネクタ、例えばルアーコネクタは、シリンジ等の薬剤供給装置をコアの近位コネクタに結合させる。薬剤供給装置がコアに結合すると、ユーザが薬剤供給装置に逆向きのトルクを加えることにより、薬剤供給装置をコアから取り外そうとした場合に、コアは逆向きのトルクの方向に沿って自由に回転する。したがって、薬剤供給装置の、アダプタからの取り外しが防止される。薬剤供給装置がコアに結合する方向にさらにトルクを加えても、コアはシュラウドに対しても自由に回転するので、さらに堅くしまることはない。したがって、薬剤供給装置は、コアに結合した後には、これから取り外すことができない。
【０００９】
したがって、この発明は、薬剤供給装置及び薬剤を患者に供給するためのコネクタとともに用いるアダプタに関する。アダプタは、ハウジングシュラウド及びハウジングシュラウドに嵌合する内部シュラウドを含む。内部シュラウドは、コネクタの結合端を受容して、コネクタが内部シュラウドに結合すると、これが一方向には自由に回転するが、逆方向に回転した場合には内部シュラウドから取り外しできるようにする開口を有する。アダプタは、ハウジングシュラウドに嵌合して、薬剤を薬剤供給装置からコネクタに導くことを可能とするコアをさらに含む。コアは、薬剤供給装置のアダプタへの接続を可能とする近位端を有する。薬剤供給装置は、アダプタに接続されると、これから取り外すことができない。
【００１０】
また、この発明は、２つの開口端を有するシュラウドと、このシュラウドの一方の開口端に取り外し不能に嵌合する内部シュラウドの組み合わせにも関する。内部シュラウドは、これを所定の薬剤運搬コネクトに結合することを可能とするコネクタ端を有する。内部シュラウドは、所定のコネクタがこれに結合すると、一方向に自由に回転可能である。この組み合わせは、シュラウドの他方の端に取り外し不能に嵌合したコアをさらに含む。コアは、コアを薬剤供給装置のルアーコネクタに結合可能にする貫通路及びコネクタ端を有する。薬剤供給装置は、コアのコネクタ端に結合すると、コアから取り外し不能となる。
【００１１】
また、この発明は、薬剤を所定の薬剤供給装置から導く方法にも関し、この方法は、所定の薬剤運搬コネクタを提供するステップと、一方及び他方の開口端を備えるシュラウドを有するアダプタを提供するステップと、シュラウドの一方の端に取り外し不能に内部シュラウドを嵌合するステップと、シュラウドの他方の端に取り外し不能にコアを嵌合するステップを含む。内部シュラウドは、内部シュラウドを所定の薬剤運搬コネクタに結合可能にするコネクタ端を有し、コアは、薬剤供給装置がコネクタ端に結合すると、コアから取り外し不能である薬剤供給装置のコネクタにコアを結合可能にする貫通路及びコネクタ端を有する。
【発明を実施するための最良の形態】
【００１２】
添付の図面とともにこの発明の以下の説明を参照することにより、この発明は明確になり、かつ、最もよく理解されるであろう。
【００１３】
図１に示すように、この発明のアダプタ２は、コネクタ４に接続されており、このコネクタは２つの部分６及び８を含んで示されている。部分６は所定のコネクタ端１０を有し、このコネクタ端１０は、これをアダプタ２に結合可能にする一対の突起１２を有する。また、コネクタ端１０は、図１に示すフィルタ１４のルアーコネクタ１６等のコネクタのメス端に接続することができる。フィルタ１４をコネクタ４とアダプタ２の間に挿入して、例えばシリンジ又はポンプ等の薬剤供給装置からコネクタ４に流れる薬剤又は液体中に存在する場合のある汚染物質をろ過する。ルアーコネクタ１６に加えて、フィルタ１４はコネクタ４のコネクタ端４の構造と同様の構造を有する第２のコネクタ１８も有しており、フィルタをアダプタ２に接続可能にする。
【００１４】
図１に示す実施態様において、部分６に接続されていないコネクタ４の部分８の端は、カテーテルの一方の端が嵌合する開口２０を有する。カテーテルの他方の端は、患者に接続される。したがって、薬剤等の液体は、コネクタ４から患者に搬送され得る。コネクタ４の部分６及び８は、それぞれ相補的な対合面を有しているので、部分６及び８のみが互いに連結することができる。これにより、これらの部分のいずれか一方を違う半部に誤って連結することが回避され、不適切な薬剤がカテーテルを介して患者に搬送されることを防止する。ろ過の目的で図１の実施態様にフィルタ１４を設けているが、この発明の実施には必須ではなく、このことは、図２の実施態様に示したように、コネクタ４を直接アダプタ２に連結していることからも分かる。
【００１５】
搬送中及び使用前に、滅菌性を維持するために、キャップ２２を用いてコネクタ４のコネクタ端１０を覆ってもよい。同様に、フィルタ１４のコネクタ１８をキャップ２４で覆ってもよい。コネクタ端１０と同一の構成を有することのできるコネクタ端を有するプラグ２６を用いて、図１に示すように、フィルタ１４のコネクタ１８に対向するアダプタ２の端部開口を覆う。コネクタ４の部分６及び８の相補的対合面のより詳細な説明は、前記の特許文献１の開示から得ることができ、この文献の開示を本願に援用する。
【００１６】
図２を参照し、アダプタ２は、２つの対向する開口端３２及び３４を備える円筒状の外部ハウジングスリーブ又はハウジングシュラウド３０を含むように示されている。アダプタ２は、その開口３２によりハウジングシュラウド３０に嵌合するインサート又は内部シュラウド３６をさらに有する。この発明のアダプタ２の第３の部品は、ハウジングシュラウド３０にその開口３４によって嵌合するコアインサート又は単なるコア３８を備える。
【００１７】
図３は、アダプタ２を、内部シュラウド３６及びコア３８をそれぞれハウジングシュラウド３０に嵌合して結合した組み立て状態で示す。
【００１８】
ハウジングシュラウド３０の斜視図を図４Ａに示す。図４Ｂ及び４Ｃの断面図並びに図４Ｄの端面図とともに、ハウジングシュラウド３０は、第１の、すなわち遠位端３２及び第２の、すなわち近位端３４を有するように示されている。図４Ｂ及び４Ｃに最もよく示されているように、延在フィンガ４２で構成されるハブキャッチ４０をハウジングシュラウド３０の近位端に設ける。フィンガ４２のそれぞれは、円筒状ハウジングシュラウド３０の長手方向軸線４６に向かって延びるフィンガ先端４４を有しており、近位開口３４よりも径の小さな開口４８を形成する。ハブキャッチ４８を形成するフィンガ先端４４は、開口３４の方向に面取りされているが、開口３２の方向から見ると依然として平らであるハウジングシュラウド３０の遠位開口３２には、リップ５０がある。開口３２は位置５２で直径が減少する。開口３２から見た図４Ｄの端面図から分かるように、フィンガ４２のそれぞれは、フィンガ先端４４により最もよく表わされており、開口３４を介してハウジングシュラウド３０にコア３８を挿入した際にフィンガにさらなる可撓性を付与するノッチ５４により隣接するフィンガから分離されている。長手方向軸線４６に向かって内側に延びる複数の隆起５６を、図４Ｂ及び４Ｃの断面図と同様に、図４Ｄにも示す。
【００１９】
図５Ａ〜５Ｄは、この発明のアダプタの内部シュラウド３６を示す。図示のように、内部シュラウド３６は、遠位端５４から近位端５６まで延びる貫通孔５３を有する。遠位端には、外面に環状に形成された突起５８がある。外部壁６０は遠位端５４から近位端５６まで延び、長手方向で近位端５６から遠ざかって延びる複数の歯６２で終わる。各歯は頂点６２ａ、傾斜部６２ｒ及び直立部６２ｕを有する。各歯は、空間６４により隣接する歯から分離される。内部シュラウド３６は、近位開口５４からシュラウドの主要部を貫く、符号６６で示される領域の内部にねじ切りがされている。
【００２０】
この発明のアダプタのコア３８は図６Ａ〜６Ｄに最もよく示されている。コア３８は、例えばシリンジ又は医療用ポンプ等の薬剤供給装置のルアー端に連結可能とするルアー接続具６８の形状のコネクタ端を近位部に含む。ハウジングシュラウド３０の近位開口３４と実質的に同じ大きさの直径を有する環状フランジ７０がコア３８の近位部から延びている。円筒状中心部７２が、フランジ７０から、フランジ７０に対向する平らな背面７６を有するショルダーフランジ７４まで延びる。ショルダーフランジ７４は、その表面７８に沿って傾斜して面取りされており、ショルダーフランジ７４の最も幅広の部分が、遠位オス部８０に接合するまで、長手軸線４６に向かって内向きに傾斜して延びる。コア３８を貫く孔が、遠位端８０の先端から、コア３８の近位端にある開口まで延びる。
【００２１】
組み合わせて、この発明のアダプタは、ハウジングシュラウド３０に、その近位開口３４にコアを、その遠位開口３２に内部シュラウド３６を嵌合する。図４Ａ〜４Ｄ、５Ａ〜５Ｄ及び６Ａ〜６Ｃを参照し、内部シュラウド３６がハウジングシュラウド３０に結合されることが分かる。より具体的には、内部シュラウド３６の環状隆起５８は、ハウジングシュラウド３０の遠位端にある空間５１に、押し込み又はスナップ嵌合される。内部シュラウド３６の断面寸法を、ハウジングシュラウド３０の空間５１内に嵌合するように構成されているので、隆起５８が移動可能に空間５１に結合し、リップ５０により保持されると、内部シュラウド３６はハウジングシュラウド３０からもはや取り外しできない。内部シュラウド３６の隆起５８は、半径減少位置５２とリップ５０の間の空間５１内で滑動可能である。
【００２２】
コネクタ４が内部シュラウド３６の開口５４を介してアダプタ２に連結されると、内部シュラウド３６は、ハウジングシュラウド３０に対して方向矢印８６（図４Ｂ）により示される方向に付勢され得る。コネクタ４が内部シュラウド３６にねじ結合されると、ユーザにより力が加えられ、すなわちコネクタ４のコネクタ端１０を内部シュラウド３６の内側ねじ部に固定する方向のトルクが加えられる。トルク力は、前方付勢力と組み合わせられ、内部シュラウド３６を方向矢印８６の方向に沿って押し、内部シュラウド３６の歯６２を、ハウジングシュラウド３０の内部に形成された隆起５６と接触させる。次いで、隆起５６は逆転防止装置として作用し、ユーザがコネクタ１０を内部シュラウド３６に、したがってアダプタ２にねじ結合できるようにする。
【００２３】
コネクタ端１０が内部シュラウド３６のねじ部６６に完全に結合した後には、コネクタ４が固定トルク移動の方向にさらに回転した場合に、歯６２の斜面部６２ｒが歯６２を隆起５６から遠ざかるよう案内するので、内部シュラウド３６が引き離され自由に回転する。しかし、コネクタ４を内部シュラウド３６に結合する方向とは反対の方向に内部シュラウド３６を回転するために、コネクタ４に逆向きのトルクが加えられた場合には、各歯６２の後部６２ｂが、対応する隆起５６の側面に対抗して作用し、ハウジングシュラウド３０に対する内部シュラウド３６の回転を防止するので、コネクタ４は内部シュラウド３６から取り外し可能である。この結果、コネクタ４は、これをアダプタ２にねじ込むのに必要な回転とは逆方向に回転した場合に、アダプタ２から取り外し可能である。
【００２４】
コア３８は、その近位開口３４を介してハウジングシュラウド３０に嵌合される。コア３８がハウジングシュラウド３０に押し込まれると、前方に傾斜しているショルダ７４の面取り面によって、特に隣接するフィンガ４４はスロット５４により分離されているので、ハウジングシュラウド３０のキャッチフィンガ４４を若干曲げることが容易となり、ショルダ７６をキャッチハブ４８の開口４８に通すことができる。ショルダ７４が完全にフィンガ４２のキャッチ４４を通過すると、ショルダ７４の背面は平らであるので、キャッチハブ４８により、より詳細には複数のフィンガ４２により、コア３８がハウジングシュラウド３０から外れたり分離したりすることを防止する。
【００２５】
遠位開口３４は、図４Ｂ及び４Ｃの断面図に最もよく示されているように、フランジ７０と同じ直径の断面３５を有する。開口３４のリッジ３７は、フランジ７０が方向矢印８８の方向でハウジングシュラウド３０内にさらに押し込まれることを防止する。したがって、コア３８がハウジングシュラウド３０に嵌合すると、これは取り外し不能に嵌合する。円筒状中央部７２はショルダ７６とフランジ７０に挟まれており、これはハウジングシュラウド３０の近位部に配置される。
【００２６】
コア３８のノーズ部８０は、図３に最もよく示されているように、ハウジングシュラウド３０の空間５１内に配置できるような長さとなるように構成される。このように配置されると、ノーズ部８０は、コネクタ４が内部シュラウド３６に結合された場合に、コネクタ４のコネクタ端１０に結合するよう適合可能である。コネクタ４が内部シュラウド３６に結合すると、コネクタ４の開口２０からコア３８の開口８４まで延びる貫通路が構成されるので、薬剤等の液体が薬剤供給装置からコネクタに、そしてコネクタからこれにカテーテルを通って患者に送ることができる。
【００２７】
コア３８は、キャッチハブ４２に回転可能に装着された中央部７２により取り外し不能にハウジングシュラウド３０に接続されているので、コア３８はハウジングシュラウド３０に対して時計回り及び反時計回りのいずれにも自由に回転可能である。ハウジングシュラウド３０及びコア３８の間に所定の摩擦を生じさせるようにハウジングシュラウド３０の近位開口３４及びフランジ７０のそれぞれの大きさを加工して、ユーザが、従来のシリンジ又は薬剤ポンプのコネクタ等の薬剤供給装置をコア３８のルアーコネクタ６８に容易に接続できるようにすることができる。しかし、シリンジがコア３８に完全に連結されると、コア３８はハウジングシュラウド３０に対して自由に回転可能であることから、薬剤供給装置に加えられる回転動作はハウジングシュラウド３０に対してコア３８を自由に回転させるので、薬剤供給装置をアダプタ２から取り外すことはもはやできない。
【００２８】
このように、薬剤供給装置をコア３８のルアーコネクタ端６８に連結した後には、薬剤供給装置のアダプタ２からの取り外しが防止されることにより、この発明のアダプタは、薬剤供給装置内の薬剤を、アダプタのコネクタ端にのみ正確に結合することのできるコネクタ端、すなわち説明した実施態様の内部シュラウド３６のねじ付コネクタ部６６を有するコネクタのみに搬送できることを確実にする。無論、コネクタ４が異なる構成のコネクタ端１０を有する場合には、内部シュラウド３６と適切に結合するために、内部シュラウド３６に対応するコネクタ端が必要である。したがって、この発明のアダプタ２は、薬剤供給装置を適当なコネクタに連結する橋渡しを提供し、これによって正しい薬剤を患者に搬送するための正しい液体経路が構成されることを確実にすることができる。
【図面の簡単な説明】
【００２９】
【図１】薬剤を患者に送る全体的な経路の例を、種々の部品とともに示す概略図である。
【図２】部品を揃えてあるが組み立てていない状態のこの発明のアダプタと、薬剤を患者に搬送するためのコネクタの斜視図である。
【図３】部品を組み立てた状態のこの発明のアダプタの斜視図である。
【図４Ａ】この発明のアダプタのハウジングシュラウドを示す図である。
【図４Ｂ】この発明のアダプタのハウジングシュラウドを示す他の図である。
【図４Ｃ】この発明のアダプタのハウジングシュラウドを示す他の図である。
【図４Ｄ】この発明のアダプタのハウジングシュラウドを示す他の図である。
【図５Ａ】この発明のアダプタの内部シュラウドを示す図である。
【図５Ｂ】この発明のアダプタの内部シュラウドを示す他の図である。
【図５Ｃ】この発明のアダプタの内部シュラウドを示す他の図である。
【図６Ａ】この発明のアダプタのコアを示す図である。
【図６Ｂ】この発明のアダプタのコアを示す他の図である。
【図６Ｃ】この発明のアダプタのコアを示す他の図である。
【図６Ｄ】この発明のアダプタのコアを示す他の図である。
【図１】
2008509739.tif 000002
【図２】
2008509739.tif 000003
【図３】
2008509739.tif 000004
【図４ａ】
2008509739.tif 000005
【図４ｂ】
2008509739.tif 000006
【図４ｃ】
2008509739.tif 000007
【図４ｄ】
2008509739.tif 000008
【図５ａ】
2008509739.tif 000009
【図５ｂ】
2008509739.tif 000010
【図５ｃ】
2008509739.tif 000011
【図５ｄ】
2008509739.tif 000012
【図６ａ】
2008509739.tif 000013
【図６ｂ】
2008509739.tif 000014
【図６ｃ】
2008509739.tif 000015
【図６ｄ】
2008509739.tif 000016